(57)【要約】【課題】電源部に用いられる電解コンデンサに過電圧が印加されて使用不能となることを防ぐ。【解決手段】液体噴射装置１０であって、電源部２０は、入力される交流を整流するダイオードブリッジ２００、ダイオードブリッジ２００の出力を平滑化すべく、ダイオードブリッジ２００の出力端間に接続される電解コンデンサ３００、ダイオードブリッジ２００の出力端間に配されるダイオード２５０であって、しきい値よりも大きい過電圧が電解コンデンサ３００に印加された場合に、ダイオードブリッジ２００の出力端間を短絡するダイオード２５０、および、ダイオード２５０がダイオードブリッジ２００の出力端間を短絡した場合に、電解コンデンサへ３００の電力の供給を停止すべく溶断するフューズ１００を有する液体噴射装置。【選択図】  図１
2005045895.tif 000002
【特許請求の範囲】
【請求項１】
液体噴射装置であって、
噴射ヘッドを搭載し、往復移動するキャリッジと、
前記キャリッジを駆動するキャリッジモータと、
前記キャリッジモータに電力を供給する電源部と
を備え、
前記電源部は、
入力される交流を整流するダイオードブリッジ、
前記ダイオードブリッジの出力を平滑化すべく、前記ダイオードブリッジの出力端間に接続される電解コンデンサ、
前記ダイオードブリッジの前記出力端間に配されるダイオードであって、しきい値よりも大きい過電圧が前記電解コンデンサに印加された場合に、前記ダイオードブリッジの前記出力端間を短絡するダイオード、および、
前記ダイオードが前記ダイオードブリッジの前記出力端間を短絡した場合に、前記電解コンデンサへの電力の供給を停止すべく溶断するフューズを有する
液体噴射装置。
【請求項２】
しきい値よりも大きな過電圧が印加された場合に短絡するダイオードおよびフューズの直列回路が前記電解コンデンサと並列に複数個、接続された過電圧検知部をさらに備え、
前記複数の直列回路における前記ダイオードの前記しきい値がそれぞれ異なり、前記ダイオードのそれぞれは当該ダイオードの前記しきい値よりも大きい過電圧が印加された場合に、短絡して、当該ダイオードに直列に接続されている前記フューズを溶断する請求項１に記載の液体噴射装置。
【請求項３】
前記電解コンデンサに前記過電圧が印加された場合に、前記過電圧検知部の前記フューズが溶断される時間は、前記電解コンデンサへの電力の供給を停止する前記フューズが溶断される時間よりも短い請求項２に記載の液体噴射装置。
【請求項４】
負荷に電力を供給する電源装置であって、
入力される交流を整流するダイオードブリッジと、
前記ダイオードブリッジの出力を平滑化すべく、前記ダイオードブリッジの出力端間に接続される電解コンデンサと、
前記ダイオードブリッジの前記出力端間に配されるダイオードであって、しきい値よりも大きい過電圧が前記電解コンデンサに印加された場合に、前記ダイオードブリッジの前記出力端間を短絡するダイオードと、
前記ダイオードが前記ダイオードブリッジの前記出力端間を短絡した場合に、前記電解コンデンサへの電力の供給を停止すべく溶断するフューズと
を備える電源装置。
【請求項５】
ダイオードブリッジ素子であって、
一対の入力端から入力される交流を、整流して、一対の出力端から出力するダイオードブリッジと、
前記ダイオードブリッジの前記出力端間に配されるダイオードであって、しきい値よりも大きい過電圧が前記出力端間に印加された場合に、前記ダイオードブリッジの前記出力端間を短絡するダイオードと、
前記一対の入力端および前記一対の出力端を露出した状態で、前記ダイオードブリッジおよび前記ダイオードを収容する絶縁ケースと
を備えるダイオードブリッジ素子。
【請求項６】
前記絶縁ケースから露出した前記一対の入力端および前記一対の出力端が略同一直線上に配され、前記一対の入力端の両外側に、前記一対の出力端の各々が配された請求項５に記載のダイオードブリッジ素子。
【発明の詳細な説明】
【０００１】
【発明の属する技術分野】
本発明は、液体噴射装置、電源装置およびダイオードブリッジ素子に関する。特に本発明は、電解コンデンサを保護する液体噴射装置、電源装置およびダイオードブリッジ素子に関する。
【０００２】
【従来の技術】
例えば商用の交流電源を用いて動作するインクジェット式記録装置には、入力された交流を整流するダイオードブリッジと、このダイオードブリッジの出力を平滑化すべくダイオードブリッジの出力端間に接続される電解コンデンサとを有する電源部が設けられる。
【０００３】
この電解コンデンサには、通常の使用状態よりも大きい過電圧が印加される場合がある。よって、電解コンデンサには、過電圧が印加された場合に電解コンデンサの電解液が気化して爆発することを防ぐ防爆弁が設けられる。さらに、例えば特許文献１に記載されるように、スイッチング電源において、電解コンデンサに過電圧が印加されることを防ぐ保護回路が設けられる。特許文献１に記載された保護回路において、スイッチング電源回路の複数箇所にダイオードが配される。
【０００４】
【特許文献１】特開平５−３００７３９号公報（第１図）
【０００５】
【発明が解決しようとする課題】
しかしながら、電解コンデンサに過電圧が印加されて防爆弁が開くと、電解コンデンサが使用不能となってしまう。また、電解コンデンサに過電圧が印加されることを防ぐ上記保護回路は、既存のパターンレイアウトや基板を変更する必要があり、使いにくかった。また、電解コンデンサに過電圧が印加されたことにより、電解コンデンサの防爆弁が開いて電解コンデンサが使用不能になると、過電圧が印加されたことを知ることができるが、この電解コンデンサに印加されていた過電圧の大きさを知ることができなかった。
【０００６】
そこで本発明は、上記の課題を解決することのできる液体噴射装置、電源装置およびダイオードブリッジ素子を提供することを目的とする。この目的は特許請求の範囲における独立項に記載の特徴の組み合わせにより達成される。また従属項は本発明の更なる有利な具体例を規定する。
【０００７】
【課題を解決するための手段】
即ち、本発明の第１の形態によると、液体噴射装置であって、噴射ヘッドを搭載し、往復移動するキャリッジと、キャリッジを駆動するキャリッジモータと、キャリッジモータに電力を供給する電源部とを備え、電源部は、入力される交流を整流するダイオードブリッジ、ダイオードブリッジの出力を平滑化すべく、ダイオードブリッジの出力端間に接続される電解コンデンサ、ダイオードブリッジの出力端間に配されるダイオードであって、しきい値よりも大きい過電圧が電解コンデンサに印加された場合に、ダイオードブリッジの出力端間を短絡するダイオード、および、ダイオードがダイオードブリッジの出力端間を短絡した場合に、電解コンデンサへの電力の供給を停止すべく溶断するフューズを有する。電解コンデンサに対して過電圧が印加された場合に、フューズが溶断されて電解コンデンサへの電力の供給を停止することにより、過電圧により電解コンデンサの防爆弁が作動して使用不要となることを防ぐことができる。
【０００８】
上記液体噴射装置は、しきい値よりも大きな過電圧が印加された場合に短絡するダイオードおよびフューズの直列回路が電解コンデンサと並列に複数個、接続された過電圧検知部をさらに備え、複数の直列回路におけるダイオードのしきい値がそれぞれ異なり、ダイオードのそれぞれは当該ダイオードのしきい値よりも大きい過電圧が印加された場合に、短絡して、当該ダイオードに直列に接続されているフューズを溶断してもよい。これにより、いずれのフューズが溶断されたかに基づいて、電解コンデンサに印加された過電圧の大きさを検知することができる。
【０００９】
上記液体噴射装置において、電解コンデンサに過電圧が印加された場合に、過電圧検知部のフューズが溶断される時間は、電解コンデンサへの電力の供給を停止するフューズが溶断される時間よりも短くてもよい。これにより、電解コンデンサに印加された過電圧の大きさを検知するとともに、電解コンデンサを過電圧から保護することができる。
【００１０】
本発明の第２の形態によると、負荷に電力を供給する電源装置であって、入力される交流を整流するダイオードブリッジと、ダイオードブリッジの出力を平滑化すべく、ダイオードブリッジの出力端間に接続される電解コンデンサと、ダイオードブリッジの出力端間に配されるダイオードであって、しきい値よりも大きい過電圧が電解コンデンサに印加された場合に、ダイオードブリッジの出力端間を短絡するダイオードと、ダイオードがダイオードブリッジの出力端間を短絡した場合に、電解コンデンサへの電力の供給を停止すべく溶断するフューズとを備える。これにより、第１の形態と同様の効果を得ることができる。
【００１１】
本発明の第３の形態によると、ダイオードブリッジ素子であって、一対の入力端から入力される交流を整流して、一対の出力端から出力するダイオードブリッジと、ダイオードブリッジの出力端間に配されるダイオードであって、しきい値よりも大きい過電圧が出力端間に印加された場合に、ダイオードブリッジの出力端間を短絡するダイオードと、一対の入力端および一対の出力端を露出した状態で、ダイオードブリッジおよびダイオードを収容する絶縁ケースとを備える。これにより、従来のダイオードブリッジ素子を用いたパターンレイアウトおよび基板を変更することなく、従来のダイオードブリッジ素子に代えてこのダイオードブリッジ素子を用いることにより、電解コンデンサを過電圧から保護することができる。
【００１２】
上記ダイオードブリッジ素子において、絶縁ケースから露出した一対の入力端および一対の出力端が略同一直線上に配され、一対の入力端の両外側に、一対の出力端の各々が配されてもよい。外側に配された一対の出力端間にダイオードを接続するので、出力端が内側に配された場合と比べて、多くのダイオードを直列に配置することができる。
【００１３】
なお上記の発明の概要は、本発明の必要な特徴の全てを列挙したものではなく、これらの特徴群のサブコンビネーションも又発明となりうる。
【００１４】
【発明の実施の形態】
以下、発明の実施の形態を通じて本発明を説明するが、以下の実施形態は特許請求の範囲にかかる発明を限定するものではなく、又実施形態の中で説明されている特徴の組み合わせの全てが発明の解決手段に必須であるとは限らない。
【００１５】
図１は、本発明の実施形態による液体噴射装置の一例としてのインクジェット式記録装置１０の機能構成図である。インクジェット式記録装置１０は、交流電圧が入力され、この交流電圧を直流電圧に整流して出力する電源部２０、電源部２０からの直流電圧を一定の安定した電圧として出力するスイッチング電源装置３０、および、スイッチング電源装置３０からの電力を用いる負荷としての記録装置本体４０を備える。記録装置本体４０は、記録ヘッドを搭載て往復移動するキャリッジ４２、キャリッジ４２を駆動するキャリッジモータ４４、スイッチング電源装置３０から供給された電力を用いてキャリッジモータ４４を駆動制御する制御部４６を有する。
【００１６】
電源部２０は、交流電圧が入力される入力端の一方に直列に配されるメインフューズ１００と、入力端の他方に直列に配されて突入電流を防止するサーミスタ１１０と、これら入力端に接続されるノイズフィルタ１６０と、ノイズフィルタ１６０から出力される交流電圧を整流するダイオードブリッジ素子２００と、ダイオードブリッジ素子２００からの出力を平滑化する電解コンデンサ３００とを有する。メインフューズ１００は、インクジェット式記録装置１０の異常な状態により大きな過電流が流れた場合に、溶断して、それ以上の電力の供給を停止する。
【００１７】
ノイズフィルタ１６０は、入力端Ｌ１およびＬ２の側から順に、入力端Ｌ１、Ｌ２の間に配される抵抗素子１２０と、入力端Ｌ１、Ｌ２の間のノーマルモードノイズを減衰させるコンデンサ素子１３０、各入力端Ｌ１、Ｌ２とアース間のコモンモードノイズに対してチョークコイルとして働くコモンモードコイル１４０、および、各入力端Ｌ１、Ｌ２とアース１５６との間のコモンモードノイズを減衰させるラインアース間コンデンサ１５０を有する。ラインアース間コンデンサ１５０は、コンデンサ素子１５２およびコンデンサ素子１５４が直列に配された回路であり、入力端Ｌ１、Ｌ２の間に接続されると共に、コンデンサ素子１５２とコンデンサ素子１５４の接続点がアース１５６により接地される。
【００１８】
電解コンデンサ３００は、ダイオードブリッジ素子２００の出力を平滑化すべく、ダイオードブリッジ素子２００の出力端Ａ、Ｂの間に接続される。電源部２０の入力端に商用の１００Ｖの交流電源が接続される場合に、電解コンデンサ３００の両端には、ピーク値として約１４１Ｖの電圧が印加されるので、電解コンデンサ３００の耐圧は、このピーク値よりも大きく設定される。また、キャリッジモータ４４は、インクジェット式記録装置１０において往復移動するキャリッジ４２を駆動するので、キャリッジモータ４４にかかる負荷の変動が大きい。よって、このキャリッジモータ４４の負荷の変動を吸収すべく、電解コンデンサ３００の耐圧はより大きいことが好ましい。例えば、上記商用の電源が用いられる場合に、２００Ｖの耐圧を有する電解コンデンサ３００が用いられる。以下、本実施形態において、電解コンデンサ３００が２００Ｖの耐圧を有する例を用いて説明する。
【００１９】
ダイオードブリッジ素子２００は、一対の入力端Ｃ、Ｄと一対の出力端Ａ、Ｂとの間に配される第１整流ダイオード２１０、第２整流ダイオード２２０、第３整流ダイオード２３０、および第４整流ダイオード２４０により構成されるダイオードブリッジと、出力端Ａ、Ｂの間に配されるダイオード群２５０とを有する。ダイオード群２５０は、その両端にしきい値よりも大きい電圧が印加された場合に、短絡して過電流を流す。ダイオード群２５０のしきい値は、正常状態において短絡しないように電解コンデンサ３００に印加される正常状態のピーク値よりも大きくすると共に、電解コンデンサ３００を過電圧から保護するために電解コンデンサ３００の耐圧よりも小さく設定されることが好ましい。例えば、電解コンデンサ３００が１４１Ｖのピーク値および２００Ｖの耐圧を有する場合に、ダイオード群２５０のしきい値は、１４４Ｖに設定される。図１に示す実施形態において、ダイオード群２５０において、それぞれ４８Ｖのしきい値を有するツェナーダイオードが三つ直列に接続されており、これによりダイオード群２５０が短絡するしきい値が１４４Ｖに設定されている。ダイオード群２５０にツェナーダイオードを用いることにより、ダイオード群２５０が短絡するしきい値を高い精度で設定することができる。
【００２０】
インクジェット式記録装置１０において、電解コンデンサ３００に正常状態の電圧が印加されている場合、ダイオードブリッジ素子２００のダイオード群２５０にもこの電圧が印加されるが、この電圧はしきい値よりも小さいので、ダイオード群２５０は短絡せず、電流が流れない。
【００２１】
一方、電解コンデンサ３００にダイオードブリッジ素子２００のダイオード群２５０のしきい値よりも大きい過電圧、例えば１４４Ｖのしきい値に対して１５０Ｖが印加されると、ダイオード群２５０が短絡して、ダイオード群２５０に過電流が流れる。これにより、メインフューズ１００にも過電流が流れてメインフューズ１００が溶断する。メインフューズ１００が溶断することにより、電源部２０の入力端から電解コンデンサ３００への電力の供給が停止される。よって、電解コンデンサ３００は過電圧から開放され、電解コンデンサ３００の防爆弁が作動して使用不要になることを防ぐことができる。
【００２２】
図２は、ダイオードブリッジ素子２００の外観を示す斜視図である。ダイオードブリッジ素子２００は、端子２６０と、端子２６０を露出した状態で、第１から第４整流ダイオード２１０、２２０、２３０、２４０およびダイオード群２５０を収容する絶縁ケース２７０とを備える。絶縁ケース２７０は、電気的に絶縁性を有する樹脂を用いて、上記第１から第４整流ダイオード２１０、２２０、２３０、２４０およびダイオード群２５０を封止する。端子２６０は、同一直線上に配された一対の入力端子２６０Ｃ、２６０Ｄおよび一対の出力端子２６０Ａ、２６０Ｂを有し、入力端子２６０Ｃ、２６０Ｄの両外側に、出力端子２６０Ａ、２６０Ｂが各々配される。絶縁ケース２７０において出力端子２６０Ａが配される側の上部には斜面２７２が設けられる。この斜面２７２により、この斜面２７２に近い出力端子２６０Ａが図１における出力端Ａとして用いられるべきことが認識される。外側に配された一対の出力端子２６０Ａ、２６０Ｂの間にダイオード群２５０を接続するので、出力端子２６０Ａ、２６０Ｂが内側に配された場合と比べて、多くのダイオード直列に配置することができる。また、ダイオード群２５０を第１から第４の整流ダイオードと２１０、２２０、２３０、２４０距離を離して配置することができ、これらの間の放電を防ぐことができる。また、ダイオード群２５０がダイオードブリッジと一体に絶縁ケース２７０に封止されているので、従来のダイオードブリッジ素子に代えて本実施形態のダイオードブリッジ素子２００を用いることにより、パターンレイアウトおよび基板を変更することなく、電解コンデンサ３００に対して過電圧が印加された場合の保護をすることができる。
【００２３】
インクジェット式記録装置１０の電源部２０は、上記ダイオード群２５０に加え、過電圧検出部４００を有してもよい。図３は、過電圧検出部４００の回路図である。過電圧検出部４００は、図１におけるダイオード群２５０に加え、ダイオードブリッジ素子２００の出力端Ａ、Ｂの間に、電解コンデンサ３００と並列に接続され、電解コンデンサ３００に印加された過電圧の大きさを検知する。
【００２４】
過電圧検出部４００は、並列に接続された複数の直列回路を有する。図３に示す実施形態においては第１の直列回路４１０、第２の直列回路４２０、および第３の直列回路４３０の三つが並列に接続されている。第１の直列回路４１０は、ダイオード群２５０のしきい値と同一のしきい値で短絡する第１のダイオード群４１２、および、この第１のダイオード群４１２と直列に接続された第１のフューズ４１４を有する。同様に第２の直列回路４２０は、第１のダイオード群４１２よりも大きいしきい値で短絡する第２のダイオード群４２２、および、この第２のダイオード群４２２と直列に接続された第２のフューズ４２４を有し、第３の直列回路４３０は、第２のダイオード群４２２よりも大きいしきい値で短絡する第３のダイオード群４３２、および、この第３のダイオード群４３２と直列に接続された第３のフューズ４３４を有する。例えば、本実施形態において、第１のダイオード群４１２、第２のダイオード群４２２および第３のダイオード群４３２は、しきい値が４８Ｖのツェナーダイオードを、三つ、四つおよび五つ直列に接続することにより、それぞれ１４４Ｖ、１９２Ｖおよび２４０Ｖのしきい値を有する。
【００２５】
過電圧検出部４００の第１のフューズ４１４、第２のフューズ４２４および第３のフューズ４３４は、図１に示すメインフューズ１００よりも速く溶断するフューズが用いられる。例えば、過電圧検出部４００の第１のフューズ４１４、第２のフューズ４２４および第３のフューズ４３４には、数秒で溶断する速動溶断型または普通溶断型フューズが用いられ、メインフューズ１００には、数分以上かけて溶断するタイムラグ溶断型フューズが用いられる。
【００２６】
電解コンデンサ３００に正常状態の電圧が印加された場合、ダイオードブリッジ素子２００のダイオード群２５０および過電圧検出部４００にもこの電圧が印加されるが、この電圧はダイオード群２５０のしきい値および過電圧検出部４００のいずれの直列回路のしきい値よりも小さいので、ダイオード群２５０および過電圧検出部４００のいずれにも電流が流れない。
【００２７】
電解コンデンサ３００に、過電圧検出部４００の第１のダイオード群４１２のしきい値よりも大きく、第２のダイオード群４２２のしきい値よりも小さい過電圧、例えば１５０Ｖの過電圧が印加されると、第１の直列回路４１０の第１のダイオード群４１２が短絡して過電流が流れ、第１のフューズ４１４が溶断する。この間、ダイオードブリッジ素子２００のダイオード群２５０にも過電圧が印加されるので、ダイオード群２５０にも過電流が流れるが、第１のフューズ４１４が溶断する時間の方が、メインフューズ１００が溶断する時間よりも短いので、まず、第１のフューズ４１４が溶断した後に、メインフューズ１００が溶断し、電源部２０の入力端から電解コンデンサ３００への電力の供給が停止される。よって、電解コンデンサ３００は過電圧から開放され、電解コンデンサ３００の防爆弁が作動して使用不要になることを防ぐことができる。この場合に、過電圧検出部４００の第２の直列回路４２０および第３の直列回路４３０にもこの過電圧が印加されるが、この過電圧は第２の直列回路４２０の第２のダイオード群４２２および第３の直列回路４３０の第３のダイオード群４３２のしきい値よりも小さいので、第２の直列回路４２０および第３の直列回路４３０には電流が流れず、第２のフューズ４２４および第３のフューズ４３４は溶断しない。よって、メインフューズ１００が溶断してインクジェット式記録装置１０の電源供給が停止された後に、過電圧検出部４００を目視または導通試験することにより、第２のダイオード群４２２が溶断していて第２のフューズ４２４および第３のフューズ４３４が溶断していないことを確認することにより、電解コンデンサ３００に印加されていた過電圧の大きさが、第１のダイオード群４１２のしきい値以上で第２のダイオード群４２２のしきい値未満の範囲にあったことを検知することができる。
【００２８】
同様に、電解コンデンサ３００に、過電圧検出部４００の第２のダイオード群４２２のしきい値よりも大きく、第３のダイオード群４３２のしきい値よりも小さい過電圧、例えば１９８Ｖの過電圧が印加されると、過電圧検出部４００における第１のダイオード群４１２および第２のダイオード群４２２が短絡して過電流が流れ、第１のフューズ４１４および第２のフューズ４２４がそれぞれ溶断する。その後、メインフューズ１００が溶断し、電源部２０の入力端から電解コンデンサ３００への電力の供給が停止される。この場合に、過電圧検出部４００の第３の直列回路４３０にもこの過電圧が印加されるが、この過電圧は第３のダイオード群４３２のしきい値よりも小さいので、第３の直列回路４３０には電流が流れず、第３のフューズ４３４は溶断しない。よって、メインフューズ１００が溶断してインクジェット式記録装置１０の電源供給が停止された後に、第１のフューズ４１４および第２のフューズ４２４が溶断していて第３のフューズ４３４が溶断していないことを確認することにより、電解コンデンサ３００に印加されていた過電圧の大きさが、第２のダイオード群４２２のしきい値以上で第３のダイオード群４３２のしきい値未満の範囲にあったことを検知することができる。
【００２９】
さらに、電解コンデンサ３００に過電圧検出部４００の第３のダイオード群４３２のしきい値よりも大きい過電圧、例えば２５０Ｖの過電圧が印加されると、過電圧検出部４００における第１の直列回路４１０、第２の直列回路４２０および第３の直列回路４３０のすべてに過電流が流れ、第１のフューズ４１４、第２のフューズ４２４および第３のフューズ４３４が溶断する。その後、メインフューズ１００が溶断して、電源部２０の入力端から電解コンデンサ３００への電力の供給が停止される。よって、メインフューズ１００が溶断してインクジェット式記録装置１０の電源供給が停止された後に、第１のフューズ４１４、第２のフューズ４２４および第３のフューズ４３４のすべてが溶断していることを確認することにより、電解コンデンサ３００に印加されていた過電圧が、第３のダイオード群４３２のしきい値よりも大きかったことを検知することができる。
【００３０】
以上、ダイオード群２５０に加えて過電圧検出部４００を用いることにより、電解コンデンサ３００を過電圧から保護するとともに、いずれのフューズが溶断したかに基づいて、電解コンデンサ３００に印加された過電圧の大きさを検知することができる。
【００３１】
過電圧検出部４００は、図２に示すダイオードブリッジ素子２００の絶縁ケース２７０内にダイオードブリッジ素子２００およびダイオード群２５０とともに封止されてもよいし、ダイオードブリッジ素子２００の絶縁ケース２７０の外に設けられてもよい。過電圧検出部４００がダイオードブリッジ素子２００の絶縁ケース２７０内に封止された場合には、一つの素子を用いて、既存のパターンレイアウト等を変更することなく、電解コンデンサ３００の過電圧の保護および過電圧の大きさの検知をすることができる。過電圧検出部４００がダイオードブリッジ素子２００の絶縁ケース２７０の外に設けられた場合には、ダイオードブリッジ素子２００の大きさに制約されないので、過電圧検出部４００の直列回路の個数を増やして、過電圧より高い精度で検知することができる。
【００３２】
上記実施形態において、電源部２０は負荷として記録装置本体４０を有するインクジェット式記録装置１０に用いられるが、インクジェット式記録装置１０に限られず、電源部２０は、液体噴射装置やさらに他の負荷に電力を供給する電源装置として用いられてもよい。
【００３３】
なお、上記実施形態において、ダイオード群２５０および過電圧検出部４００にはツェナーダイオードが用いられている。しかしながら、ツェナーダイオードに代えて、ファストリカバリーダイオードまたはショットキーダイオードを用いてもよい。特に、しきい値の大きいファストリカバリーダイオードを用いることにより、少ない個数でダイオード群２５０を短絡するしきい値を所望の値に設定することができる。
【００３４】
上記説明から明らかなように、本実施形態によれば、電解コンデンサ３００に対して過電圧が印加された場合に、メインフューズ１００が溶断されて電解コンデンサ３００への電力の供給を停止することにより、過電圧により電解コンデンサ３００の防爆弁が作動して使用不要となることを防ぐことができる。
【００３５】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【図面の簡単な説明】
【図１】本発明の実施形態によるインクジェット式記録装置１０の機能構成図である。
【図２】ダイオードブリッジ素子２００の外観を示す斜視図である。
【図３】過電圧検出部４００の回路図である。
【符号の説明】
１０…インクジェット式記録装置、２０…電源装置、３０…スイッチング電源装置、４０…記録装置本体、４２…キャリッジ、４４…キャリッジモータ、４６…制御部、１００…メインフューズ、２００…ダイオードブリッジ素子、２１０…第１整流ダイオード、２２０…第２整流ダイオード、２３０…第３整流ダイオード、２４０…第４整流ダイオード、２５０…ダイオード群、２６０…端子、２６０Ａ…出力端子、２６０Ｂ…出力端子、２６０Ｃ…入力端子、２６０Ｄ…入力端子、２７０…絶縁ケース、３００…電解コンデンサ、４００…過電圧検出部、４１０…第１の直列回路、４１２…第１のダイオード群、４１４…第１のフューズ、４２０…第２の直列回路、４２２…第２のダイオード群、４２４…第２のフューズ、４３０…第３の直列回路、４３２…第３のダイオード群、４３４…第３のフューズ
【図１】
2005045895.tif 000003
【図２】
2005045895.tif 000004
【図３】
2005045895.tif 000005